(57)【要約】 【課題】  情報を容易に確認可能な編集装置を提供する。【解決手段】  編集装置４００は、画像コンテンツデータおよび画像コンテンツデータの画像の撮像日付である日付データが記録された付加データを備えた画像データを認識し、フォルダ関連付け手段にて日付データの日付と同一日付の日付フォルダに画像データを関連付けて記録させる。そして、再生制御手段は、連続する日付に対応する日付フォルダに関連付けられる画像データの画像コンテンツデータを順次再生する。このため、容易に連続する日付の日付ディレクトリに関連付けられた画像データを再生することができる。【選択図】 図１
2007134868.tif 000002
【特許請求の範囲】
【請求項１】
日付に関する日付データを備えたコンテンツデータを認識するデータ認識手段と、
前記日付データの日付が同一であるコンテンツデータを同一の日付フォルダに関連付けるフォルダ関連付け手段と、
前記コンテンツデータを出力する出力手段に、連続する日付に対応する日付フォルダに関連付けられた前記コンテンツデータを順次出力させる制御をする出力制御手段と、
を具備したことを特徴としたコンテンツデータ編集装置。
【請求項２】
請求項１に記載のコンテンツデータ編集装置であって、
前記日付フォルダは、関連付けられるコンテンツデータの日付データの日付に関するフォルダ日付データを備え、
前記出力制御手段は、連続する日付に対応する日付フォルダを認識する連続日付フォルダ認識手段と、この連続日付フォルダ認識手段にて認識された前記連続する日付に対応する日付フォルダに関連付けられた前記コンテンツデータを順次出力させる制御をする連続出力制御手段と、を備えた
ことを特徴としたコンテンツデータ編集装置。
【請求項３】
請求項１または請求項２に記載のコンテンツデータ編集装置であって、
前記コンテンツデータは、前記出力制御手段にて連続する日付の前記日付データに対応する日付フォルダに関連付けられる前記コンテンツデータとして順次再生させるか否かを判別するフラグ情報を有し、
前記出力制御手段は、前記フラグ情報が順次再生させる旨の情報を有している場合に連続する日付の前記日付データに対応する日付フォルダに関連付けられる前記コンテンツデータとして順次再生する
ことを特徴としたコンテンツデータ編集装置。
【請求項４】
請求項１ないし請求項３のいずれかに記載のコンテンツデータ編集装置であって、
日付の入力設定を認識する入力認識手段を備え、
前記出力制御手段は、前記入力認識手段にて認識した日付と連続する日付に対応した日付フォルダがある場合、これらの日付フォルダに関連付けられる前記コンテンツデータを順次再生する
ことを特徴としたコンテンツデータ編集装置。
【請求項５】
請求項４に記載のコンテンツデータ編集装置であって、
前記入力認識手段は、前記日付の周期に関する周期情報を認識し、
前記出力制御手段は、前記周期認識手段にて認識した前記周期で連続する日付フォルダがある場合、これらの日付フォルダに関連付けられる前記コンテンツデータを順次再生する
ことを特徴としたコンテンツデータ編集装置。
【請求項６】
請求項１ないし請求項５のいずれかに記載のコンテンツデータ編集装置であって、
前記データ認識手段にてデータ認識時に、前記コンテンツデータに関連付けられる日付データに基づいて前記日付フォルダを作成する日付フォルダ作成手段
を備えたことを特徴としたコンテンツデータ編集装置。
【請求項７】
日付に関する日付データを備えたコンテンツデータを認識し、
前記日付データの日付が同一であるコンテンツデータを同一の日付フォルダに関連付け、
前記コンテンツデータを出力する出力手段に、連続する日付に対応する日付フォルダに関連付けられた前記コンテンツデータを順次再生する
ことを特徴とするコンテンツデータ編集方法。
【請求項８】
演算手段を、請求項１ないし請求項６のいずれかに記載のコンテンツデータ編集装置として機能させる
ことを特徴としたコンテンツデータ編集プログラム。
【発明の詳細な説明】
【技術分野】
【０００１】
本発明は、コンテンツデータを日付に応じて出力する処理を実施するコンテンツデータ編集装置、その方法、およびそのプログラムに関する。
【背景技術】
【０００２】
従来、デジタルカメラなどで撮影した画像情報を表示させる際、それぞれの画像情報に関連付けられる日付情報に基づいて各画像情報を日付フォルダに分類し、日付フォルダ毎に画像情報を表示させる装置がある（例えば、特許文献１参照）。
【０００３】
特許文献１に記載のものは、画像データを、画像データに付随する撮影日付などに関する画像管理情報に基づいて、画像データを撮影した日付フォルダを表示画面に表示させる。そして、利用者により、所定の日付フォルダが選択されると、その日付フォルダの日付に対応する撮影日付の画像データの代表画像を表示させる処理をする構成が採られている。
【０００４】
【特許文献１】特開２００５−１１９０８３号公報（第５頁ないし第１０頁、図６ないし図８参照）
【発明の開示】
【発明が解決しようとする課題】
【０００５】
しかしながら、上述した特許文献１のような従来の構成では、複数日に亘って撮影された画像データを視認する場合、利用者は、１つの日付フォルダを選択して画像データを視聴した後、一旦日付フォルダを表示させる画面に戻り、その後再び他の日付フォルダを探して選択する必要がある。このため、利用者の操作量が増えるため、操作が煩雑となるという問題が一例として挙げられる。
【０００６】
本発明は、このような実情などに鑑みて、情報を容易に確認可能なコンテンツデータ編集装置、その方法、およびそのプログラムを提供することを１つの目的とする。
【課題を解決するための手段】
【０００７】
請求項１に記載の発明は、日付に関する日付データを備えたコンテンツデータを認識するデータ認識手段と、前記日付データの日付が同一であるコンテンツデータを同一の日付フォルダに関連付けるフォルダ関連付け手段と、前記コンテンツデータを出力する出力手段に、連続する日付に対応する日付フォルダに関連付けられた前記コンテンツデータを順次出力させる制御をする出力制御手段と、を具備したことを特徴としたコンテンツデータ編集装置である。
【０００８】
請求項７に記載の発明は、日付に関する日付データを備えたコンテンツデータを認識し、前記日付データの日付が同一であるコンテンツデータを同一の日付フォルダに関連付け、前記コンテンツデータを出力する出力手段に、連続する日付に対応する日付フォルダに関連付けられた前記コンテンツデータを順次再生することを特徴とするコンテンツデータ編集方法である。
【０００９】
請求項８に記載の発明は、演算手段を、請求項１ないし請求項６のいずれかに記載のコンテンツデータ編集装置として機能させることを特徴としたコンテンツデータ編集プログラムである。
【発明を実施するための最良の形態】
【００１０】
以下、本発明に係る一実施の形態を図面に基づいて説明する。本実施の形態では、本発明のコンテンツデータ装置を備えたコンテンツデータ編集システムであって、コンテンツデータとしての画像データを所定のフォルダに関連付けて表示させる処理を実施する構成を例示して説明する。なお、本発明のコンテンツデータ編集システムで処理可能なコンテンツデータとしては、画像データに限らず、動画データ、音声データ、その他の日付により管理可能なデータなどであってもよい。図１は、本実施の形態におけるコンテンツデータ編集システムの概略構成を示すブロック図である。図２は、撮像データリストの概略構成を示す模式図である。図３は、日付フォルダの概略構成を示す模式図である。図４は、編集装置を構成する処理部の概略構成を示すブロック図である。図５は、メインメニュー画面の概略構成を示す模式図である。図６は、設定画面の概略構成を示す模式図である。図７は、フォルダ選択画面の概略構成を示す模式図である。図８は、選択画像表示画面の概略構成を示す模式図である。
【００１１】
〔コンテンツデータ編集システムの構成〕
図１において、１００はコンテンツデータ編集システムである。このコンテンツデータ編集システム１００は、画像データの画像を撮影された日付に応じて表示させるための処理を実施する。そして、コンテンツデータ編集システム１００は、撮像装置２００と、メモリリーダ３００と、コンテンツデータ編集装置としての編集装置４００と、を備えている。
【００１２】
撮像装置２００は、編集装置４００に着脱可能に接続される。この撮像装置２００は、例えば風景や人物などを撮影して、この撮影した画像を表示させるための各種データを生成する。そして、撮像装置２００は、撮像手段２１０と、撮影操作手段２２０と、記憶部２３０と、演算部２４０と、などを備えている。
【００１３】
撮像手段２１０は、図示しないケース体の例えば正面に配設された、いわゆるＣＣＤ（Charge Coupled Devices）カメラやＣＭＯＳ（Complementary Metal Oxide Semiconductor）カメラなどである。この撮像手段２１０は、演算部２４０の制御により、風景や人物を適宜撮影すなわち撮像する。そして、撮像手段２１０は、撮像した風景などに関する撮像情報を演算部２４０へ出力する。
【００１４】
撮影操作手段２２０は、ケース体の例えば上面に配設され、入力操作される図示しない各種操作ボタンや操作つまみなどを有している。これら操作ボタンや操作つまみなどの入力操作は、撮像の倍率設定や、撮像中の風景などを主画像として記録する処理の実施などの設定入力である。そして、撮影操作手段２２０は、設定事項の入力操作により、設定事項に対応する信号を演算部２４０へ適宜出力して設定入力させる。
【００１５】
記憶部２３０は、例えば図２に示すような撮像データリスト６００などを適宜読み出し可能に記憶する。この記憶部２３０としては、ＨＤ（Hard Disc）、ＤＶＤ（Digital Versatile Disc）、光ディスク、メモリカードなどの記録媒体に読み出し可能に記憶するドライブやドライバなどが例示できる。
【００１６】
ここで、撮像データリスト６００は、画像に関する少なくとも１つのコンテンツデータとしての画像データ６１０を複数備えて構成されている。画像データ６１０は、演算部２４０により生成され、Ｅｘｉｆ（Exchangeable Image File Format）規格に準拠した構成を有している。そして、画像データ６１０は、画像コンテンツデータ６１１と、付加データ６１２と、などを関連付けたテーブル構造にデータ構築されている。なお、画像データ６１０の規格としてはＥｘｉｆに限らず、例えばＣＩＦＦ（Camera Image File Format）など、画像コンテンツデータ６１１および付加データ６１２をサポート可能な他の規格に準拠したものであってもよい。
【００１７】
画像コンテンツデータ６１１は、ＪＰＥＧ（Joint Photographic Expert Group）規格に準拠し、画像を表示させるためのデータである。なお、ＪＰＥＧ規格に準拠した例を示したが、これに限定されず例えばＤＩＢ（Device Independent Bitmap）、ＢＭＰ（Bit MaP）、ＧＩＦ（Graphic Interchange Format）、ＰＮＧ（Portable Network Graphics）、ＰＩＣＴ、ＴＩＦＦ（Tagged Image File Format）なでであってもよい。
【００１８】
付加データ６１２は、ヘッダ情報として画像コンテンツデータ６１１に関連付けられた情報である。この付加データ６１２は、画像コンテンツデータ６１１の画像が撮像された日時に関する日時データ、撮影場所に関する撮像場データ、画像コンテンツデータ６１１のサイズに関するサイズデータ、画像コンテンツデータ６１１のサムネイル画像に関するサムネイルデータなどを有している。
【００１９】
演算部２４０は、図示しない各種入出力ポート、例えば撮像手段２１０が接続される撮像ポート、撮影操作手段２２０が接続される操作ポート、記憶部２３０が接続される撮像記憶ポートなどを有する。また、演算部２４０は、編集装置４００に適宜接続される。そして、演算部２４０は、各種プログラムとして、画像データ作成手段２４１などを備えている。また、演算部２４０は、図示しない内部時計を備え、この内部時計により適宜日時に関する日時データを認識する。
【００２０】
画像データ作成手段２４１は、画像データ６１０を作成する。具体的には、画像データ作成手段２４１は、撮影操作手段２２０の風景などを画像として記録する旨の入力操作を認識すると、撮像手段２１０から出力される撮像情報を取得する。そして、この撮像情報を、画像を表示させるための画像コンテンツデータ６１１に変換する。また、この画像の撮影日付、すなわち画像として記録する旨の入力操作を認識した日付を内部時計に基づいて認識し、日時データを作成する。さらに、操作者による入力操作に基づいて、撮像場データ、サイズデータを認識し、これらの日時データ、撮像場データ、サイズデータなどに基づいて付加データ６１２を作成する。そして、作成した付加データ６１２を対応する画像コンテンツデータ６１１に関連付けて画像データ６１０を作成する。また、画像データ作成手段２４１は、作成した画像データ６１０を記憶部２３０に適宜読み出し可能に記憶する。
【００２１】
メモリリーダ３００は、編集装置４００に着脱可能に接続される。また、メモリリーダ３００は、画像データ６１０などの各種情報を適宜読み出し可能に記憶するリムーバブルメモリ３１０が着脱可能に構成されている。ここで、リムーバブルメモリ３１０としては、例えばＵＳＢ（Universal Serial Bus)メモリ、磁気カード、ＩＣ（Integrated Circuit）チップを有するＩＣカードなどが例示できる。このメモリリーダ３００は、編集装置４００の制御により、リムーバブルメモリ３１０から所定の画像データ６１０を取得して、編集装置４００に適宜出力する。
【００２２】
編集装置４００は、設置型や携帯型のパーソナルコンピュータ、ＰＤＡ（Personal Digital Assistant）、携帯電話、ＰＨＳ(Personal Handyphone System)などである。この編集装置４００は、撮像装置２００やメモリリーダ３００などから画像データ６１０を適宜取得して、日付に基づいた画像表示処理を実施する。そして、編集装置４００は、操作手段４１０と、出力手段としての表示手段４２０と、記憶手段４３０と、メモリ４４０と、インターフェース部４５０と、演算手段としての処理部４６０と、などを備えている。
【００２３】
操作手段４１０は、例えばキーボードやマウスなどで、入力操作される図示しない各種操作ボタンや操作つまみなどを有している。これら操作ボタンや操作つまみなどの入力操作は、編集装置４００の動作内容の設定などの設定事項の設定入力である。そして、操作手段４１０は、設定事項の入力操作により、設定事項に対応する信号を処理部４６０へ適宜出力して設定入力させる。なお、入力操作としては、操作ボタンや操作つまみなどの操作に限らず、例えば表示手段４２０に設けられたタッチパネルによる入力操作や、音声による入力操作などにより、各種設定事項を設定入力する構成としてもできる。
【００２４】
表示手段４２０は、処理部４６０にて制御され処理部４６０からの画像、サムネイル画像、各種情報などを表示させるための信号を画面表示させる。この表示手段４２０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００２５】
記憶手段４３０は、撮像装置２００やメモリリーダ３００から取得した図３に示すような日付フォルダ７００を適宜読み出し可能に記憶する。そして、記憶手段４３０は、日付フォルダ７００を記憶する画像データ記憶領域７００Ａなどを備えている。この記憶手段４３０としては、記憶部２３０と同様の構成、すなわちＨＤ、ＤＶＤ、光ディスク、メモリカードなどのドライブやドライバなどが例示できる。また、日付フォルダ７００を後述するメモリ４４０に記憶させる構成としてもよい。
【００２６】
ここで、画像データ記憶領域７００Ａは、図３に示すように、複数の日付フォルダ７００が記録されている。これらの日付フォルダ７００は、それぞれ日付に関するフォルダ日付データ７１０を備えている。また、日付フォルダ７００には、フォルダ日付データ７１０の日付と同一日付の日時データを有する画像データ６１０が関連付けられて記録されている。さらに、日付フォルダ７００に関連付けられる画像データ６１０は、付加データ６１２の日時データに記録される撮像日時に基づいて、撮像日時が古い順に並び替えられて記録されている。なお、本実施の形態では、日付フォルダ７００に関連付けられる画像データ６１０が撮像日時に基づいて配列される例を示すが、これに限定されず、例えば画像データ６１０のデータサイズの大きい順であってもよく、画像データ６１０のファイル名に基づいた配列順であってもよく、利用者の設定により適宜変更できる構成としてもよい。
【００２７】
メモリ４４０は、操作手段４１０で入力される画像表示のための画像表示設定情報などの各種情報を適宜読み出し可能に記憶する。また、編集装置４００全体を動作制御するＯＳ上に展開される各種プログラムなどをも情報として記憶している。なお、メモリ４４０としては、ＨＤ、ＤＶＤ、光ディスク、メモリカードなどの記録媒体に読み出し可能に記憶するドライブやドライバなどを備えた構成としてもよい。また、画像表示設定情報を記憶手段４３０に記憶させる構成としてもよい。
【００２８】
ここで、画像表示設定情報は、表示手段４２０に画像を表示させる際の表示設定事項であり、フォルダ拡張情報、周期情報などを備えている。この画像表示設定情報は例えばテキスト形式にて、ＩＮＩファイルとして記憶される。
【００２９】
フォルダ拡張情報は、連続する日付に対応する日付フォルダに関連付けられた画像データ６１０を順次再生させる（連続再生モード）か、各日付フォルダに関連付けられる画像データ６１０を日付フォルダ７００毎に再生させる（通常モード）か、を示すフラグ情報である。
【００３０】
周期情報は、フォルダ拡張情報が連続再生モードに設定されている場合に付加され、連続する日付を定義する情報である。この周期情報には、例えば、ＯＦＦモード、所定日数連続モード、週連続モード、月連続モード、年連続モードなどのうちから少なくとも１つが選択されて記録される。ＯＦＦモードは、暦上連続と見なされる日付、例えば８月３１日、９月１日、９月２日、９月５日といった日付に対応した日付フォルダ７００が存在する場合、８月３１日、９月１日、９月２日に対応する日付フォルダ７００を連続した日付フォルダ７００として見なすモードである。所定日数連続モードは、所定の日数おきの日付を連続と見なすモードであり、例えば所定日数を４日に設定した場合、例えば８月１日、８月５日、８月９日、８月１６日といった日付に対応した日付フォルダ７００が存在すると、８月１日、８月５日、８月９日に対応する日付フォルダ７００を連続した日付フォルダ７００として見なすモードである。
週連続モードは、所定の週間隔おきの日付を連続とみなすモードであり、例えば所定の週間隔を１週とした場合、８月１日、８月２日、８月８日、８月３１日といった日付に対応した日付フォルダ７００が存在すると、８月１日、８月５日、８月９日に対応する日付フォルダ７００を連続した日付フォルダ７００として選択するモードである。同様に月連続モードは、所定の月間隔おきの日付を連続と見なすモードであり、年連続モードは、所定の年間隔の日付を連続と見なすモードである。さらに、週連続モードにおいて、所定の週間隔の所定の曜日を連続した日付と見なしてもよく、月連続モードにおいて、所定の月間隔の所定週、所定曜日、所定日を連続した日付と見なしてもよく、所定の年間隔の所定週、所定曜日、所定日を連続と見なしてもよい。
【００３１】
インターフェース部４５０は、撮像装置２００やメモリリーダ３００などに接続され、これらの撮像装置２００やメモリリーダ３００などから撮像データリスト６００やその他の情報を受信して処理部４６０に出力する。なお、インターフェース部４５０には、撮像装置２００やメモリリーダ３００などの他、ネットワークを介して画像データ６１０を提供可能な他のサーバ装置に接続されていてもよく、さらに電波を受信することで外部から画像データを取得して処理部４６０に出力する構成としてもよい。
【００３２】
処理部４６０は、図示しない各種入出力ポート、例えば操作手段４１０が接続されるキー操作ポート、表示手段４２０が接続される表示制御ポート、記憶手段４３０が接続される記憶ポート、メモリ４４０が接続されるメモリポート、インターフェース部４５０に接続されるインターフェースポートなどを有する。そして、処理部４６０は、各種プログラムとして、図４に示すように、入力認識手段としても機能するデータ認識手段４６１と、日付フォルダ作成手段としても機能するフォルダ関連付け手段４６２と、画像表示設定手段４６３と、再生要求認識手段４６４と、連続日付フォルダ認識手段としてのフォルダ検索手段４６５と、連続出力制御手段としての再生制御手段４６６と、計時手段と、などを備えている。計時手段は、現在日付および時刻、カレンダーなどを認識する。なお、フォルダ検索手段４６５および再生制御手段４６６にて本発明の出力制御手段が構成される。
【００３３】
データ認識手段４６１は、記憶手段４３０に記憶された撮像データリスト６００を読み込み、撮像データリスト６００に記録された画像データ６１０を認識する。また、データ認識手段４６１は、操作手段４１０にて認識された操作信号に基づいて、インターフェース部４５０を制御し、撮像装置２００やメモリリーダ３００から撮像データリスト６００を取得させる。さらに、データ認識手段４６１は、操作手段４１０の操作により入力される各種操作信号を認識する。
【００３４】
フォルダ関連付け手段４６２は、データ認識手段４６１にて認識した画像データ６１０の付加データ６１２を読み込み、付加データ６１２に記録された日時データを認識する。そして、フォルダ関連付け手段４６２は、記憶手段４３０の画像データ記憶領域７００Ａからこの日時データに記載される日付と同一日付のフォルダ日付データ７１０を有する日付フォルダ７００に、この画像データ６１０を関連付ける。また、フォルダ関連付け手段４６２は、画像データ記憶領域７００Ａに画像データ６１０の日時データの日付と同一日付のフォルダ日付データ７１０を有する日付フォルダ７００がない場合、新たに日付フォルダ７００を作成する。すなわち、フォルダ関連付け手段４６２は、画像データ６１０の日時データを認識し、この日時データの日付と同一日付のフォルダ日付データ７１０を作成する。そして、このフォルダ日付データ７１０を備えた日付フォルダ７００を作成し、この日付フォルダ７００に対応する日時データを有する画像データ６１０を関連付ける。
【００３５】
画像表示設定手段４６３は、画像データ６１０の画像コンテンツデータ６１１を表示手段４２０に表示させる際の表示方法を設定する。具体的には、画像表示設定手段４６３は、操作手段４１０の操作にて入力される操作信号に基づいて、画像表示設定情報を作成する。この画像表示設定情報は、例えばテキスト形式のＩＮＩファイルとして適宜メモリ４４０に記憶される。
【００３６】
再生要求認識手段４６４は、データ認識手段４６１にて操作手段により操作入力された操作信号に記録される画像データ６１０を再生する旨の要求情報を認識すると、要求情報を認識すると、メモリ４４０に記憶された画像表示設定情報を認識する。
【００３７】
フォルダ検索手段４６５は、記憶手段４３０の画像データ記憶領域７００Ａに記憶された日付フォルダ７００を認識する。また、フォルダ検索手段４６５は、再生要求認識手段４６４にて認識された画像表示設定情報に基づいて、フォルダ拡張情報が連続再生モードである場合、周期情報に基づいてフォルダ日付データ７１０の日付が連続する日付フォルダ７００を検索する。例えば周期情報がＯＦＦモードである場合は、暦上連続する日付、例えば８月３１日、９月１日、９月２日といった日付が記録されたフォルダ日付データ７１０を有する日付フォルダ７００を検索する。また、例えば周期情報が所定日数連続モードであり、所定の日数として例えばｍ日が設定されている場合、ｍ日周期で連続するフォルダ日付データ７１０を有する日付フォルダ７００を検索する。
【００３８】
再生制御手段４６６は、画像データ６１０を出力する旨の操作信号が認識されると、画像表示設定情報に基づいて、画像データ６１０の画像コンテンツデータ６１１を表示手段４２０に表示させる制御をする。具体的には、再生制御手段４６６は、データ認識手段４６１にて操作手段の操作による画像データ６１０を閲覧する旨の操作信号が認識されると、図５に示すようなメインメニュー画面８００を表示させる。
【００３９】
ここで、メインメニュー画面８００は、画像データ６１０を表示させる際に最初に表示される画面表示であり、略中央部に操作ボタンが設けられている。この操作ボタンは、それぞれ、再生ボタン８０１、設定ボタン８０２、終了ボタン８０３である。再生ボタン８０１は、画像表示設定情報に基づいて画像データ６１０を再生する旨の操作ボタンである。設定ボタン８０２は、画像表示設定情報を編集する旨を示す操作ボタンである。終了ボタン８０３は、処理を終了させる旨の操作ボタンである。
【００４０】
そして、再生制御手段４６６は、メインメニュー画面８００において、データ認識手段４６１にて設定ボタン８０２を選択する旨の操作信号が認識されると、図６に示すような設定画面８１０を表示手段４２０に表示させる制御をする。なお、画像表示設定手段４６３により、設定画面８１０にて選択入力および設定入力された内容に応じて画像表示設定情報が設定され、メモリ４４０に適宜記憶される。
【００４１】
ここで、設定画面８１０は、表示領域４２１の左上部にフォルダ拡張情報を選択させる旨のフォルダ拡張選択領域８１１が設けられている。また、設定画面８１０の略中央から他部に亘って、周期情報を選択する旨の周期選択領域８１２が設けられている。この周期選択領域８１２には、ＯＦＦモード、所定日数連続モード、週連続モード、月連続モード、年連続モードのうちいずれか１つを選択する旨のモード選択スイッチ８１３が設けられている。また、モード選択スイッチ８１３の右方には、周期日数、曜日指定、週指定、月指定をテキスト入力により指定可能な周期日数指定欄８１４Ａ、曜日指定欄８１４Ｂ、週指定欄８１４Ｃ、月指定欄８１４Ｄが設けられている。さらに、設定画面８１０の右方下部には、メインメニュー画面８００に表示を切り替える旨のメインメニュー戻りボタン８１５が表示されている。
【００４２】
また、再生制御手段４６６は、メインメニュー画面８００において、データ認識手段４６１にて再生ボタン８０１を選択する旨の操作信号が認識されると、画像表示設定情報を認識し、各設定情報に基づいて、図７に示すような日付フォルダを選択させる旨のフォルダ選択画面８２０を表示手段４２０の表示領域４２１に表示させる制御をする。
【００４３】
ここで、フォルダ選択画面８２０の詳細な説明をする。フォルダ選択画面８２０の略中央位置には、フォルダ表示領域８２１が設けられ、個のフォルダ表示領域８２１内に複数のフォルダアイコン８２２が配置されている。これらのフォルダアイコン８２２は、それぞれ日付フォルダ７００に対応して表示されている。また、フォルダ表示領域８２１には、複数のフォルダアイコン８２２のうちいずか１つを選択する旨の選択カーソル８２３が表示されている。そして、フォルダ選択画面８２０の右方下部には、選択カーソル８２３にて選択されたフォルダアイコン８２２に対応する日付フォルダに関連付けられる画像データ６１０を再生する旨の画像再生ボタン８２４が設けられている。さらに、画像再生ボタン８２４の近傍には、メインメニュー画面８００を表示させる旨のメインメニュー表示ボタン８２５が表示されている。
【００４４】
そして、再生制御手段４６６は、データ認識手段４６１にて選択カーソル８２３により所定のフォルダアイコン８２２を選択する旨の操作信号が認識されると、再生要求認識手段４６４にて認識した画像表示設定情報に基づき、フォルダ検索手段４６５に所定の日付フォルダ７００を検索させる制御をする。そして、検索された日付フォルダ７００に関連付けられる画像データ６１０を再生する制御をする。この時、再生制御手段４６６は、日付フォルダ７００に関連付けられる画像データ６１０の日時データを認識し、例えば最も撮像時刻が早い画像データ６１０の画像コンテンツデータ６１１を認識する。そして、この画像コンテンツデータ６１１の画像を図８に示すような選択画像表示画面８３０として表示させる制御をする。
【００４５】
ここで、選択画像表示画面８３０は、略中央部に画像表示領域８３１が設けられている。この画像表示領域８３１には、画像コンテンツデータ６１１の画像が表示されている。また、画像表示領域８３１に左方下部には、表示されている画像コンテンツデータ６１１に対応する画像データ６１０のファイル名および日時データが表示されている。また、選択画像表示画面８３０の下部には、前画像表示ボタン８３２と、次画像表示ボタン８３３と、フォルダ選択画面８２０に切り換える旨のフォルダ選択画面切り換えボタン８３４が設けられている。前画像表示ボタン８３２および次画像表示ボタン８３３は、現在画像表示領域に表示されている画像を他の画像コンテンツデータ６１１の画像に切り換える旨の操作ボタンである。
【００４６】
この選択画像表示画面８３０において、再生制御手段４６６は、データ認識手段４６１にて前画像表示ボタン８３２を選択する旨の操作信号が認識されると、現在画像表示領域８３１に表示されている画像データ６１０よりも１つ前に配置される画像（前画像）、例えば、現在画像表示領域８３１に表示されている画像データ６１０よりも日時データの日時が１つだけ古い画像データ６１０を再生させる制御をする。同様に、再生制御手段４６６は、操作手段４１０により操作入力された前画像表示ボタン８３２を選択する旨の操作信号が認識されると、現在画像表示領域８３１に表示されている画像データ６１０よりも１つ後に配置された画像データ６１０（次画像）、例えば、現在画像表示領域８３１に表示されている画像データ６１０より日時データの日時が１つだけ新しい画像データ６１０を再生させる制御をする。なお、本実施の形態において、画像データ６１０は、上記のように撮像された時刻順に配置されている例を示すが、これに限定されず、例えば記憶手段４３０の記録領域に記録された順であってもよく、画像サイズの大きい順であってもよく、操作者が任意に設定したものであってもよい。このような場合、それぞれの画像データ６１０の配列順に応じて前画像および次画像が決定される。
【００４７】
また、再生制御手段４６６は、画像表示設定情報のフォルダ拡張情報が通常モードであり、現在表示されている画像が日付フォルダ７００に関連付けられる画像データ６１０のうち最後部に配置された画像データ６１０である場合、次画像表示ボタン８３３が選択されると、この日付フォルダ７００に関連付けられる画像データ６１０のうち先頭に配置される画像データ６１０を再生する制御をする。また、再生制御手段４６６は、現在表示されている画像が日付フォルダ７００に関連付けられる画像データ６１０のうち先頭に配置された画像データ６１０であり、前画像表示ボタン８３２が選択された場合、この日付フォルダ７００に関連付けられる画像データ６１０のうち最後部に配置される画像データ６１０を再生させる制御をする。
【００４８】
さらに、再生制御手段４６６は、画像表示設定情報のフォルダ拡張情報が連続再生モードであり、現在表示されている画像が日付フォルダ７００に関連付けられる画像データ６１０のうち最後部に配置された画像データ６１０である場合、次画像表示ボタン８３３が選択されると、選択された日付フォルダ７００の翌日の日付に対応する日付フォルダ７００に関連付けられる画像データ６１０のうち先頭に配置される画像データ６１０を再生させる制御をする。また、選択された日付フォルダ７００の翌日の日付に対応する日付フォルダ７００がない場合、フォルダ検索手段４６５にて検索された連続する日付の日付フォルダ７００のうち、最も日付が古い日付フォルダ７００を認識する。そして、この最も日付が古い日付フォルダ７００に関連付けられる画像データ６１０のうち先頭に配置される画像データ６１０を再生させる制御をする。
【００４９】
また、再生制御手段４６６は、現在表示されている画像が日付フォルダ７００に関連付けられる画像データ６１０のうち先頭に配置された画像データ６１０である場合、前画像表示ボタン８３２が選択されると、選択された日付フォルダ７００の前日の日付に対応する日付フォルダ７００に関連付けられる画像データ６１０のうち最後部に配置される画像データ６１０を再生させる制御をする。また、選択された日付フォルダ７００の前日の日付に対応する日付フォルダ７００がない場合、フォルダ検索手段４６５にて検索された連続する日付の日付フォルダ７００のうち、最も日付が新しい日付フォルダ７００を認識する。そして、この最も日付が新しい日付フォルダ７００に関連付けられる画像データ６１０のうち最後部に配置される画像データ６１０を再生させる制御をする。
【００５０】
〔コンテンツ編集システムの動作〕
次に、コンテンツデータ編集システム１００の動作として、主画像の表示処理およびサムネイルファイルの修復処理について、図面を参照して説明する。図９は、コンテンツ編集装置の画像取込処理を示すフローチャートである。図１０は、コンテンツ編集システムの画像表示処理を示すフローチャートである。
【００５１】
（画像取込処理）
先ず、コンテンツ編集装置の画像取込処理について説明する。編集装置４００に撮像装置２００やメモリリーダ３００などの画像データ６１０を提供する装置が接続され、操作手段４１０にて画像データ６１０を取り込む旨の操作信号が認識されると、処理部４６０のデータ認識手段４６１は、撮像装置２００やメモリリーダ３００に撮像データリスト６００を受信する旨の信号を送信する。そして、データ認識手段４６１は、撮像装置２００やメモリリーダ３００から撮像データリスト６００をインターフェース部４５０を介して受信する（ステップＳ１０１）。
【００５２】
次に、処理部４６０のフォルダ関連付け手段４６２は、取得した画像データ６１０の付加データ６１２を認識し（ステップＳ１０２）、この付加データ６１２に記録される日時データを読みこむ。また、処理部４６０のフォルダ関連付け手段４６２は、フォルダ検索手段４６５に読み込んだ日時データに対応する日付の日付フォルダ７００を検索させる（ステップＳ１０３）。
【００５３】
ここで、フォルダ関連付け手段４６２は、取得した画像データ６１０の日付データに対応する日付フォルダ７００が存在するか否かを判断し（ステップＳ１０４）、対応する日付フォルダ７００が存在しない場合、新たに日付データに対応する日付の日付フォルダ７００を作成する（ステップＳ１０５）。すなわち、フォルダ関連付け手段４６２は、取得した画像データ６１０に日時データの日付と同一日付のフォルダ日付データ７１０を有する日付フォルダ７００を作成する。そして、フォルダ関連付け手段４６２は、この作成した日付フォルダ７００に画像データ６１０を関連付けて、記憶手段４３０の画像データ記憶領域７００Ａに記憶する。
【００５４】
この後、他の画像データ６１０があるか否かを判断し（ステップＳ１０７）、ある場合は、ステップＳ１０１の処理を実施して画像データ６１０を取得する。他に取得する画像データ６１０がない場合は、画像取込処理を終了する。
【００５５】
（画像表示処理）
次に、コンテンツデータ編集システム１００の画像表示処理について、図１０に基づいて説明する。
【００５６】
図１０において、処理部４６０は、編集装置４００の操作手段４１０にて画像データ６１０の画像を閲覧する旨の操作信号が認識される、すなわち画像閲覧ソフトの起動命令が認識されると、再生制御手段４６６に、図５に示すようなメインメニュー画面８００を表示手段４２０の表示領域４２１に表示させる制御をする。そして、処理部４６０は、データ認識手段４６１にてこのメインメニュー画面８００の再生ボタン８０１を選択する旨の操作信号が認識される（ステップＳ２０１）と、再生要求認識手段４６４にてメモリ４４０に記憶された画像表示設定情報を認識させる（ステップＳ２０２）。なお、ステップＳ２０１において、終了ボタン８０３が選択されると、処理部４６０は画像表示処理を終了させる処理を実施する。
【００５７】
この後、処理部４６０の再生制御手段４６６は、表示手段４２０の表示領域４２１に図７に示すようなフォルダ選択画面８２０を表示させる制御をする（ステップＳ２０３）。これには、再生制御手段４６６は、記憶手段４３０の画像データ記憶領域７００Ａに記憶された日付フォルダ７００を読み込み、各日付フォルダ７００のフォルダ日付データ７１０の日付を認識する。そして、これらのフォルダ日付データ７１０の日付をフォルダアイコン８２２に重畳させてフォルダ表示領域８２１に表示させる制御をする。
【００５８】
次に、操作者の操作手段４１０の操作により、選択カーソル８２３にて所定のフォルダアイコン８２２が選択され、さらに、画像再生ボタン８２４を選択する旨の操作信号が入力されると（ステップＳ２０４）、処理部４６０の再生制御手段４６６は、選択されたフォルダアイコン８２２に対応する日付フォルダ７００を認識する。また、この日付フォルダ７００に関連付けられる画像データ６１０のうち先頭に配置される画像データ６１０の画像コンテンツデータ６１１を認識する。そして、認識した画像コンテンツデータ６１１の画像を画像表示領域８３１に配置した選択画像表示画面８３０を表示手段４２０の表示領域４２１に表示させる制御をする（ステップＳ２０５）。
【００５９】
この後、処理部４６０は、選択画像表示画面８３０において、操作手段４１０にて次画像表示ボタン８３３を選択する旨の操作信号が認識されたか否かを判断する（ステップＳ２０６）。そして、処理部４６０の再生制御手段４６６は、操作手段４１０にて次画像表示ボタン８３３を選択する旨の操作信号が認識された場合、現在画像表示領域８３１にて表示されている画像が日付フォルダ７００に関連付けられている画像データ６１０のうち最後部に配置されている画像であるか否かを判断する（ステップＳ２０７）。
【００６０】
このステップＳ２０７の処理において、再生制御手段４６６は、現在画像表示領域８３１にて表示されている画像が日付フォルダ７００に関連付けられている画像データ６１０のうち最後部以外に配置された画像データ６１０に対応する画像であると判断した場合、この画像データ６１０の次に配置されている画像データ６１０の画像コンテンツデータ６１１を読み込み、画像表示領域８３１に次画像として表示させる制御をする（ステップＳ２０８）。
【００６１】
一方、ステップＳ２０７において、現在画像表示領域８３１にて表示されている画像が日付フォルダ７００に関連付けられている画像データ６１０のうち最後部に配置された画像データ６１０に対応する画像であると判断した場合、ステップＳ２０２において再生要求認識手段４６４にて認識した表示画像設定情報のフォルダ拡張情報に記録されている情報が通常モードであるか連続再生モードであるかを判断する（ステップＳ２０９）。そして、このステップＳ２０９において、フォルダ拡張情報に通常モードである旨が記録されていると判断した場合、再生制御手段４６６は、ステップＳ２０４にて選択された日付フォルダ７００に関連付けられる画像データ６１０のうち先頭に配置される画像データ６１０を読み込み、この画像データ６１０の画像コンテンツデータ６１１に記録された画像を次画像として画像表示領域８３１に表示させる制御をする（ステップＳ２１０）。
【００６２】
また、ステップＳ２０９において、再生制御手段４６６は、再生要求認識手段４６４にて認識したフォルダ拡張情報が連続再生モードであると判断した場合、表示画像設定情報の周期情報を読み込む。そして、再生制御手段４６６は、フォルダ検索手段４６５に周期情報の周期に対応して連続となる日付の日付フォルダ７００を検索させる。なお、本実施の形態では、周期情報がＯＦＦモードである場合の再生処理について説明する。すなわち、再生制御手段４６６は、現在画像表示領域８３１に表示されている画像データ６１０が関連付けられる日付フォルダ７００の日付をＡ月Ｂ日とすると、翌日の日付であるＡ月（Ｂ＋１）日に対応する日付フォルダ７００の存在を確認する（ステップＳ２１２）。そして、再生制御手段４６６は、翌日の日付（Ａ月（Ｂ＋１）日）に対応する日付フォルダ７００が存在する場合、この翌日の日付に対応する日付フォルダ７００に関連付けられた画像データ６１０のうち先頭に配置された画像データ６１０の画像コンテンツデータ６１１を読み込み、その画像を次画像として画像表示領域８３１に表示させる制御をする（ステップＳ２１２）。
【００６３】
一方、ステップＳ２１１において、再生制御手段４６６は、翌日の日付（Ａ月（Ｂ＋１）日）に対応する日付フォルダ７００が存在しない場合、連続する日付フォルダ７００のうち最も日付が古い（Ａ月（Ｂ−ｎ）日：ｎ≧０）先頭の日付フォルダ７００を検索する。そして、この先頭の日付フォルダ７００に関連付けられた画像データ６１０のうち先頭に配置された画像データ６１０を読み込み、その画像コンテンツデータ６１１の画像を次画像として画像表示領域８３１に表示させる制御をする（ステップＳ２１３）。
【００６４】
そして、ステップＳ２０７ないしステップＳ２１３の処理により次画像が画像表示領域８３１に表示されると、再びステップＳ２０６の処理に戻る。
【００６５】
また、ステップＳ２０６において、操作手段４１０にて次画像表示ボタン８３３を選択する旨の操作信号が認識されない場合、前画像表示ボタン８３２を選択する旨の操作信号が認識されたか否かを判断する（ステップＳ２１４）。
【００６６】
このステップＳ２１４において、処理部４６０の再生制御手段４６６は、操作手段４１０にて前画像表示ボタン８３２を選択する旨の操作信号が認識された場合、現在画像表示領域８３１にて表示されている画像が日付フォルダ７００に関連付けられている画像データ６１０のうち先頭に配置されている画像データ６１０であるか否かを判断する（ステップＳ２１５）。
【００６７】
このステップＳ２１５の処理において、現在画像表示領域８３１にて表示されている画像が日付フォルダ７００に関連付けられている画像データ６１０のうち先頭部以外に配置された画像データ６１０に対応する画像である場合と判断されると、再生制御手段４６６は、この画像データ６１０の前に配置されている画像データ６１０を読み込み、画像表示領域８３１に前画像として表示させる制御をする（ステップＳ２１６）。
【００６８】
一方、ステップＳ２１５において、現在画像表示領域８３１にて表示されている画像が日付フォルダ７００に関連付けられている画像データ６１０のうち先頭に配置された画像データ６１０に対応する画像であると判断した場合、ステップＳ２０２において再生要求認識手段４６４にて認識された表示画像設定情報のフォルダ拡張情報が通常モードであるか連続再生モードであるかを判断する（ステップＳ２１７）。そして、このステップＳ２１７において、フォルダ拡張情報に通常モードである旨が記録されている場合、再生制御手段４６６は、現在選択されている日付フォルダ７００に関連付けられる画像データ６１０のうち最後部に配置される画像データ６１０を読み込み、この画像データ６１０の画像コンテンツデータ６１１に記録された画像を前画像として画像表示領域８３１に表示させる制御をする（ステップＳ２１８）。
【００６９】
また、ステップＳ２１７において、再生制御手段４６６は、フォルダ拡張情報に連続再生モードである旨が記録されていると判断した場合、表示画像設定情報の周期情報を読み込む。そして、この周期情報の周期に対応して連続となる日付の日付フォルダ７００を認識する。なお、本実施の形態では、上記したように周期情報がＯＦＦモードである場合の再生処理について説明する。そして、再生制御手段４６６は、現在画像表示領域８３１に表示されている画像データ６１０が関連付けられる日付フォルダ７００の日付をＡ月Ｂ日とすると、前日の日付であるＡ月（Ｂ―１）日に対応する日付フォルダ７００が存在するか否かを判断する（ステップＳ２１９）。そして、再生制御手段４６６は、前日の日付（Ａ月（Ｂ−１）日）に対応する日付フォルダ７００の存在を確認すると、この前日の日付に対応する日付フォルダ７００に関連付けられた画像データ６１０のうち最後部に配置された画像データ６１０を読み込み、その画像を前画像として画像表示領域８３１に表示させる制御をする（ステップＳ２２０）。
【００７０】
一方、ステップＳ２１１において、再生制御手段４６６は、翌日の日付（Ａ月（Ｂ−１）日）に対応する日付フォルダ７００が存在しない場合、連続する日付フォルダ７００のうち最も日付（Ａ月（Ｂ＋ｎ）日：ｎ≧０）が新しい最後部の日付フォルダ７００を検索する。そして、この最後部の日付フォルダ７００に関連付けられた画像データ６１０のうち最後部に配置された画像データ６１０を読み込み、その画像コンテンツデータ６１１の画像を前画像として画像表示領域８３１に表示させる制御をする（ステップＳ２２１）。
【００７１】
そして、ステップＳ２１５ないしステップＳ２２１の処理により前画像が画像表示領域８３１に表示されると、再びステップＳ２０６の処理に戻る。
【００７２】
また、ステップＳ２０６およびステップＳ２１４において、前画像表示ボタン８３２および次画像表示ボタン８３３のどちらも選択されず、操作手段４１０にて処理を終了する旨の操作信号が認識されると、画像表示処理の終了処理が実施される（ステップＳ２２２）。なお、ステップＳ２２２において、フォルダ選択画面切り換えボタン８３４が選択されることで、ステップＳ２０３の処理に戻る処理を実施してもよく、ステップＳ２０１の処理に戻る処理を実施してもよい。
【００７３】
なお、上述したように、上記において画像表示設定情報の周期情報がＯＦＦモードにおける処理を説明したが、周期情報が他のモードである場合でも略同様の処理を実施する。例えば、周期情報に所定日数としてｍ日が記録されている場合、再生制御手段４６６は、ステップＳ２１１において、Ａ月（Ｂ＋ｍ）日後の日付フォルダがあるか否かを判断する。また、ステップＳ２１２においても、再生制御手段４６６は、ｍ日後であるＡ月（Ｂ＋ｍ）日の日付フォルダ７００を認識し、この日付フォルダ７００の先頭画像を表示させる処理をする。さらに、ステップＳ２１３において再生制御手段４６６は、Ａ月（Ｂ−ｍ×ｘ）日（ｘは整数）となる先頭の日付フォルダ７００に関連付けられる画像データ６１０の先頭に配置される画像データ６１０を認識して再生する処理をする。また、再生制御手段４６６は、ステップＳ２１９、ステップＳ２２０、ステップＳ２２０においても同様の処理を実施する。すなわち、再生制御手段４６６は、ステップＳ２１９において、ｍ日前であるＡ月（Ｂ―ｍ）日に対応する日付フォルダ７００があるか否かを判断し、ステップＳ２２０において、ｍ日後であるＡ月（Ｂ−ｍ）日の日付フォルダ７００に関連付けられる画像データ６１０のうち最後部に配置される画像データ６１０を再生し、ステップＳ２２１において、Ａ月（Ｂ＋ｍ×ｘ）日となる最後部の日付フォルダ７００に関連付けられる画像データ６１０のうち最後部に配置される画像データ６１０を再生する処理をする。
【００７４】
〔画像編集システムの作用効果〕
上述したように、上記実施の形態のコンテンツデータ編集システム１００では、編集装置４００は、画像コンテンツデータ６１１および画像コンテンツデータ６１１の画像の撮像日付である日付データが記録された付加データ６１２を備えた画像データ６１０を認識し、フォルダ関連付け手段４６２にて日付データの日付と同一日付の日付フォルダ７００に画像データ６１０を関連付けて記録させる。そして、再生制御手段４６６は、連続する日付に対応する日付フォルダ７００に関連付けられる画像データ６１０の画像コンテンツデータ６１１を順次再生する。このため、従来のように連続する日付の日付フォルダ７００に関連付けられる画像データ６１０の画像を閲覧するために、一旦上位のディレクトリに移動して再度日付フォルダ７００を選択しなおすといった作業がなくなり、容易に連続する日付の日付フォルダ７００に関連付けられた画像データ６１０の全てを見ることができる。したがって、例えば複数日間の旅行の写真を一括して閲覧したいときなど、画像閲覧作業の手間を軽減させることができ、目的の画像を閲覧するまでの作業時間も短縮させることができる。また、多くの作業を必要としないため、処理部４６０に高負荷をかけることないので、処理部４６０の動作をより軽快にできる。
【００７５】
また、フォルダ検索手段４６５にて、連続する日付のフォルダ日付データ７１０を有する日付フォルダ７００を検索し、これらの日付フォルダ７００に関連付けられる画像データ６１０を順次再生させる。このため、連続する日付の日付フォルダ７００に対応する画像データ６１０を容易に検索して再生させることができる。したがって、処理部４６０の負荷を軽減できるうえ、利用者の操作数も減少して操作性も良好にできる。
【００７６】
また、再生要求認識手段４６４にて画像表示設定情報を読み込み、画像表示設定情報のフォルダ拡張情報が連続再生モードである場合にのみ、連続する日付の日付フォルダ７００に関連付けられた画像データ６１０を順次再生する処理をする。このため、操作者の要求に応じて、連続再生モードにする必要がある場合にのみ連続する日付の日付フォルダ７００に関連付けられた画像データ６１０を順次再生することができる。
【００７７】
さらに、編集装置４００は、データ認識手段４６１にて撮像装置２００やメモリリーダ３００などから送信された画像データ６１０を認識すると、この画像データ６１０の付加データ６１２から日付データを認識する。そして、フォルダ関連付け手段４６２は、認識した日付データに基づいて日付フォルダ７００を作成し、この日付フォルダ７００に画像データ６１０を関連付ける。このため、再生制御手段４６６で画像データ６１０の画像コンテンツデータ６１１を出力する際に毎回日付フォルダ７００を作成することなく、画像データ６１０の取得時に予め作成された日付フォルダ７００に基づいて各画像データ６１０を再生するだけでよい。したがって、画像出力時の処理部４６０をさらに軽減でき、作業性をより良好にすることができる。
【００７８】
そして、編集装置４００の再生制御手段４６６は、画像表示設定情報の周期情報に基づいて、所定日数周期の日付フォルダ７００を連続と見なし、これらの日付フォルダ７００に関連付けられる画像データ６１０の画像を表示させる制御をする。このため、例えば１年毎の誕生日の写真を再生したい場合など、所定の周期毎の日付フォルダ７００に関連付けられる画像データ６１０を順次再生できる。これにより、例えば子供の成長過程などの画像を所定周期毎に容易に閲覧するなど、利用者の要望に応じた詳細な画像閲覧設定ができる。また、従来では所定周期毎の画像データ６１０を閲覧するために、一旦上位のディレクトリ階層に戻ってから、さらに、周期的となる日付フォルダ７００を検索する必要があり非常に煩雑な作業が伴うが、上記のような構成により、複雑な周期毎の日付フォルダ７００に関連付けられる画像データ６１０をより簡単に順次再生させることができる。
【００７９】
〔実施の形態の変形〕
なお、本発明は、上述した一実施の形態に限定されるものではなく、本発明の目的を達成できる範囲で以下に示される変形をも含むものである。ここで、以下において、立寄り地の設定に関する変形を適宜例示するが、目的地の設定に関する変形も同様に含むものとする。
【００８０】
すなわち、再生制御手段４６６は、画像表示設定情報においてフォルダ拡張情報が連続再生モードに設定されている場合、連続した日付に対応する複数の日付フォルダ７００を１つのフォルダアイコン８２２として表示させる制御をしてもよい。この様な構成では、連続する日付に対応した日付フォルダ７００が一目で容易に確認することができる。さらに、このようなフォルダアイコン８２２に対して利用者が任意にフォルダ名称を入力できる構成としてもよい。
【００８１】
また、上記のような場合、再生制御手段４６６は、連続した日付に対応する複数の日付フォルダ７００に関連付けらえる画像データ６１０の画像コンテンツデータ６１１の縮小画像を例えばサムネイル画像にて一覧表示させる制御をしてもよい。さらに、再生制御手段４６６は、サムネイル画像のうちいずれか１つを選択する旨の操作信号により、図８に示すような選択画像表示画面８３０に選択されたサムネイル画像に対応する画像コンテンツデータ６１１の画像を表示させる制御をしてもよい。さらには、選択画像表示画面８３０において、表示をサムネイル画像に切り換える画像切換ボタンを設け、この画像切換ボタンが選択されることでサムネイル画像を一覧表示させる構成としてもよい。
【００８２】
さらに、各画像データ６１０は、連続する日付フォルダ７００の他の画像データ６１０に順次連続的に再生させるか否かを決定するフラグ情報を有していてもよい。例えば、撮像日付が同一日付の複数の画像データ６１０のうち、一部の画像データ６１０のフラグ情報がＯＦＦであり、残部の画像データ６１０のフラグ情報がＯＮである場合、連続する日付フォルダ７００に関連付けられた画像データ６１０の画像を表示させる際に、フラグ情報がＯＮである一部の画像データ６１０は順次再生され、フラグ情報がＯＦＦである残部の画像データ６１０は再生されない構成としてもよい。このような構成にすると、各画像データ６１０の画像再生条件設定をより詳細にすることができ、より利用者のニーズに応えた画像再生をすることができる。
【００８３】
さらには、再生制御手段４６６は、操作者により操作手段４１０から入力された希望日付情報を認識し、この希望日付情報と連続する日付の日付フォルダ７００を検索する構成としてもよい。このような構成では、フォルダ選択画面８２０を表示させる処理が省略できるため、さらに処理部４６０の処理負荷を軽減でき、作業効率を向上させることができる。
【００８４】
また、上記実施の形態の編集装置４００の処理部４６０はカレンダーを認識する計時手段を備えた構成としたが、計時手段が設けられない構成としてもよい。このような構成では、例えば日付フォルダ７００の中に同一年の２月２９日が存在する場合うるう年と判断し、例えば２月２８日、２月２９日、３月１日を連続する日付として認識する。一方、日付フォルダ７００の中に同一年の２月２９日が存在しない場合は、２月２８日、３月１日を連続する日付として認識する。このような構成にすることで、計時手段が不要となり、処理部４６０の処理を軽減でき、および記憶手段４３０の記憶領域にカレンダーに関する情報を記憶しなくてもよいので記憶領域をより多く確保できる。
【００８５】
そして、上記実施の形態において、コンテンツデータとして画像に関する画像コンテンツデータを例示したが、これに限らず、例えば、音声データ、動画データ、テキストデータなど、日付により管理できるあらゆるデータを対象とすることができる。また、出力手段も表示手段に限られない。例えば音声データを再生する際は音声出力手段を出力手段としてもよく、動画データを再生する際には、表示手段および音声出力手段を利用することができる。
【００８６】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【００８７】
その他、本発明の実施の際の具体的な構造および手順は、本発明の目的を達成できる範囲で他の構造などに適宜変更できる。
【００８８】
〔実施の形態の効果〕
上述したように、上記実施の形態のコンテンツデータ編集システム１００では、編集装置４００は、画像コンテンツデータ６１１および画像コンテンツデータ６１１の画像の撮像日付である日付データが記録された付加データ６１２を備えた画像データ６１０を認識し、フォルダ関連付け手段４６２にて日付データの日付と同一日付の日付フォルダ７００に画像データ６１０を関連付けて記録させる。そして、再生制御手段４６６は、連続する日付に対応する日付フォルダ７００に関連付けられる画像データ６１０の画像コンテンツデータ６１１を順次再生する。このため、従来のように連続する日付の日付フォルダ７００に関連付けられる画像データ６１０の画像を閲覧するために、一旦上位のディレクトリに移動して再度日付フォルダ７００を選択しなおすといった作業がなくなり、容易に連続する日付の日付フォルダ７００に関連付けられた画像データ６１０の全てを見ることができる。
【図面の簡単な説明】
【００８９】
【図１】本発明の一実施の形態におけるコンテンツデータ編集システムの概略構成を示すブロック図である。
【図２】撮像データリストの概略構成を示す模式図である。
【図３】日付フォルダの概略構成を示す模式図である。
【図４】編集装置を構成する処理部の概略構成を示すブロック図である。
【図５】メインメニュー画面の概略構成を示す模式図である。
【図６】設定画面の概略構成を示す模式図である。
【図７】フォルダ選択画面の概略構成を示す模式図である。
【図８】選択画像表示画面の概略構成を示す模式図である。
【図９】コンテンツ編集装置の画像取込処理を示すフローチャートである。
【図１０】コンテンツ編集システムの画像表示処理を示すフローチャートである。
【符号の説明】
【００９０】
４００…コンテンツデータ編集装置としての編集装置
４２０…出力手段としての表示手段
４６１…入力認識手段としても機能するデータ認識手段
４６２…日付フォルダ作成手段としても機能するフォルダ関連付け手段
４６５…出力制御手段を構成する連続日付フォルダ認識手段としてのフォルダ検索手段
４６５…出力制御手段を構成する連続出力制御手段としての再生制御手段
６１０…コンテンツデータとしての画像データ
７００…日付フォルダ
７１０…フォルダ日付データ
【図１】
2007134868.tif 000003
【図２】
2007134868.tif 000004
【図３】
2007134868.tif 000005
【図４】
2007134868.tif 000006
【図５】
2007134868.tif 000007
【図６】
2007134868.tif 000008
【図７】
2007134868.tif 000009
【図８】
2007134868.tif 000010
【図９】
2007134868.tif 000011
【図１０】
2007134868.tif 000012